(57)【要約】【課題】開放し忘れることを防止するテスト用制水弁開放忘れ防止装置を提供する。【解決手段】テスト用制水弁開放忘れ防止装置は、トンネルに設けられる水噴霧設備を起動する自動弁装置の二次側に取り付けられ、前記自動弁装置と共に格納箱に収納され、水が流れる開口が形成された本体と、前記本体に取り付けられ、前記本体の前記開口を開閉する弁体と、前記弁体に取り付けられ、前記弁体の開閉を操作するハンドルと、前記格納箱に取り付けられ、前記ハンドルの回転に連動して動作する弁開放忘れ防止装置と、を備え、前記弁開放忘れ防止装置は、前記弁体が前記開口を開放する第１方向に前記ハンドルが回転されるときに、前記格納箱の内部に収納され、前記弁体が前記開口を閉止する第２方向に前記ハンドルが回転されるときに、前記格納箱の外部に突出するものであることを特徴とする。【選択図】図７
2018000457.tif 000002
【特許請求の範囲】
【請求項１】
トンネルに設けられる水噴霧設備を起動する自動弁装置の二次側に取り付けられ、前記自動弁装置と共に格納箱に収納され、水が流れる開口が形成された本体と、
前記本体に取り付けられ、前記本体の前記開口を開閉する弁体と、
前記弁体に取り付けられ、前記弁体の開閉を操作するハンドルと、
前記格納箱に取り付けられ、前記ハンドルの回転に連動して動作する弁開放忘れ防止装置と、を備え、
前記弁開放忘れ防止装置は、
前記弁体が前記開口を開放する第１方向に前記ハンドルが回転されるときに、前記格納箱の内部に収納され、前記弁体が前記開口を閉止する第２方向に前記ハンドルが回転されるときに、前記格納箱の外部に突出するものである
ことを特徴とするテスト用制水弁開放忘れ防止装置。
【請求項２】
前記弁開放忘れ防止装置は、
基端部が前記ハンドルに巻きつけられるワイヤと、
前記格納箱に取り付けられ、前記ワイヤを保持する保持部と、
前記保持部に設けられると共に前記ワイヤの先端部に取り付けられる動作部と、を有し、
前記動作部は、
前記ハンドルが前記第１方向に回転されることによって前記ワイヤが巻き取られるときに前記ワイヤに引っ張られて前記格納箱の内部に収納され、
前記ハンドルが前記第２方向に回転されることによって前記ワイヤが弛められるときに自身の復元力によって前記格納箱の外部に突出するものである
ことを特徴とする請求項１記載のテスト用制水弁開放忘れ防止装置。
【請求項３】
前記弁開放忘れ防止装置は、
前記本体に取り付けられ、前記弁体の回転に連動して回転する第１のプーリーと、
前記第１のプーリーに巻きつけられるケーブルと、
前記格納箱に取り付けられると共に前記ケーブルが巻きつけられ、前記第１のプーリーの回転動作が前記ケーブルを介して伝達されることによって回転する第２のプーリーと、
前記第２のプーリーに取り付けられるアームと、を有し、
前記アームは、
前記ハンドルが前記第１方向に回転されることによって前記第１のプーリー及び前記第２のプーリーが回転して前記格納箱の内部に収納され、
前記ハンドルが前記第２方向に回転されることによって前記第１のプーリー及び前記第２のプーリーが回転して前記格納箱の外部に突出するものである
ことを特徴とする請求項１記載のテスト用制水弁開放忘れ防止装置。
【発明の詳細な説明】
【技術分野】
【０００１】
本発明は、トンネル内の火災時に水を噴霧して消火する水噴霧設備のテスト用制水弁開放忘れ防止装置に関する。
【背景技術】
【０００２】
従来、トンネル内で火災が発生したときに、火災の発生を検知することによって、自動的に水を噴霧して消火する水噴霧設備が知られている。例えば、特許文献１に記載の水を噴霧する水噴霧ヘッドに、消火用水の供給に伴って発生する水撃作用を弱める水撃抑制機構を備えた水噴霧設備が知られている。特許文献１は、トンネルの壁面に、火災の発生を検知したときに自動的に開放される自動弁装置が設けられており、自動弁装置の二次側には、仕切弁が設けられている。仕切弁は、例えばテスト用制水弁として用いられ、通常時には開放されている。そして、仕切弁は、自動弁装置の動作試験時に、閉止されて、自動弁装置が開放されても水噴霧ヘッドにまで水が到達することを防止している。
【先行技術文献】
【特許文献】
【０００３】
【特許文献１】特開２０１６−５９６４８号公報（請求項１）
【発明の概要】
【発明が解決しようとする課題】
【０００４】
しかしながら、特許文献１に開示された水噴霧設備は、動作試験が終了した際に、テスト用制水弁を開放せずに閉止したままにしてしまう恐れがある。この場合、通常時に自動弁装置が開放されても、水は、テスト用制水弁で阻まれ、水噴霧ヘッドにまで到達しない。よって、通常時には、テスト用制水弁が確実に開放されていることが望まれている。
【０００５】
本発明は、上記のような課題を背景としてなされたもので、開放し忘れることを防止するテスト用制水弁開放忘れ防止装置を提供するものである。
【課題を解決するための手段】
【０００６】
本発明に係るテスト用制水弁開放忘れ防止装置は、トンネルに設けられる水噴霧設備を起動する自動弁装置の二次側に取り付けられ、自動弁装置と共に格納箱に収納され、水が流れる開口が形成された本体と、本体に取り付けられ、本体の開口を開閉する弁体と、弁体に取り付けられ、弁体の開閉を操作するハンドルと、格納箱に取り付けられ、ハンドルの回転に連動して動作する弁開放忘れ防止装置と、を備え、弁開放忘れ防止装置は、弁体が開口を開放する第１方向にハンドルが回転されるときに、格納箱の内部に収納され、弁体が開口を閉止する第２方向にハンドルが回転されるときに、格納箱の外部に突出するものであることを特徴とする。
【発明の効果】
【０００７】
本発明によれば、弁体が本体の開口を閉止しているとき、弁開放忘れ防止装置が格納箱の外部に突出するため、使用者は格納箱の枠体に例えば前面プレートを取り付けることができない。これにより、使用者は、前面プレートを取り付けようとする際に、テスト用制水弁が閉止していることに気付く。このため、テスト用制水弁を開放し忘れることを防止することができる。
【図面の簡単な説明】
【０００８】
【図１】本発明の実施の形態１における水噴霧設備２を示す模式図である。
【図２】本発明の実施の形態１における格納箱１０を示す図である。
【図３】本発明の実施の形態１における格納箱１０を示す図である。
【図４】本発明の実施の形態１における前面プレート１２を示す図である。
【図５】本発明の実施の形態１における前面プレート１２の取り付け図である。
【図６】本発明の実施の形態１に係るテスト用制水弁１を示す図である。
【図７】本発明の実施の形態１に係るテスト用制水弁１の開放時の動作および状態を示す模式図である。
【図８】本発明の実施の形態１に係るテスト用制水弁１の閉止時の動作および状態を示す模式図である。
【図９】本発明の実施の形態２に係るテスト用制水弁１００の動作を示す模式図である。
【発明を実施するための形態】
【０００９】
実施の形態１．
以下、本発明に係るテスト用制水弁の実施の形態について、図面を参照しながら説明する。なお、以下に説明する実施の形態によって本発明が限定されるものではない。また、図１を含め、以下の図面では各構成部材の大きさの関係が実際のものとは異なる場合がある。図１は、本発明の実施の形態１における水噴霧設備２を示す模式図である。この図１に基づいて、水噴霧設備２について説明する。図１に示すように、水噴霧設備２は、トンネル内の火災時に水を噴霧して消火するものであり、ポンプ３と、一次側弁４と、自動弁装置５と、テスト用制水弁１と、水噴霧ヘッド６とを備えている。
【００１０】
ポンプ３は、水噴霧ヘッド６に水を供給するものである。一次側弁４は、自動弁装置５の一次側、即ち水の流れの上流側に設けられており、通常時には開放されている。一次側弁４は、例えば自動弁装置５を交換する際に閉止される。これにより、ポンプ３から送られる水が一次側弁４で阻まれ、自動弁装置５まで到達することを防止することができる。従って、自動弁装置５を修理や交換する際に閉止される。自動弁装置５は、通常時に閉止されており、トンネル内で火災が発生したとき、操作信号に基づいて自動的に開放されるものである。これにより、ポンプ３から送られる水は、水噴霧ヘッド６に供給される。自動弁装置５は、加圧開放式であり、一次側において圧力がかかった水が、自動弁装置５のピストン室（図示せず）に流入することによって、開放される。
【００１１】
テスト用制水弁１は、自動弁装置５の二次側、即ち水の流れの下流側に設けられており、通常時及び火災時には開放されている。テスト用制水弁１は、水噴霧設備２のメンテナンス等で実施される動作試験等で自動弁装置５が開放される際に、閉止されるものである。前述の如く、自動弁装置５は、加圧開放式であり、自動弁装置５の開放試験を行うためには、自動弁装置５の一次側に圧力水が必要である。このため、テスト用制水弁１が閉止されていないと、水噴霧ヘッド６から圧力水が放水されてしまう。ここで、テスト用制水弁１を閉止することによって、自動弁装置５が開放されても、圧力水がテスト用制水弁１に阻まれて水噴霧ヘッド６に到達することを防止している。
【００１２】
水噴霧ヘッド６は、トンネル内に水を噴霧するものであり、１台の自動弁装置５に対し、例えば、５ｍ毎に約１０個設けられている。ここで、自動弁装置５及びテスト用制水弁１は、格納箱１０に収納されている。格納箱１０は、トンネルに設置された消火栓装置７（図２（ａ）及び図２（ｂ）参照）に併設されている。格納箱１０は、例えばトンネルに設置された全ての消火栓装置に１台ずつ併設されている。
【００１３】
図２は、本発明の実施の形態１における格納箱１０を示す図である。図２（ａ）は、格納箱１０を示す正面図、図２（ｂ）は、格納箱１０を示す上面断面図であり、図２（ａ）のＢ−Ｂ断面図、図２（ｃ）は、格納箱１０を示す側面断面図であり、図２（ａ）のＡ−Ａ断面図である。図２（ａ）、図２（ｂ）及び図２（ｃ）に示すように、格納箱１０は、例えば直方体状をなしており、枠体１１と、前面プレート１２とを有している。格納箱１０は、例えばトンネルの壁面に形成された設置用開口部に挿入されている。また、格納箱１０の奥には、自動弁装置５及びテスト用制水弁１が収納されている。格納箱１０は、動作試験時に、自動弁装置５及びテスト用制水弁１を操作するために、枠体１１から前面プレート１２が取り外される。これにより、自動弁装置５及びテスト用制水弁１が露出するため、動作試験を行うことができる。なお、テスト用制水弁１の設置場所は、適宜変更することができる。なお、格納箱１０と消火栓装置７とは、接続部材７ａで接続されている。
【００１４】
図３は、本発明の実施の形態１における格納箱１０を示す図である。図３（ａ）は、格納箱１０を示す正面図、図３（ｂ）は、格納箱１０を示す上面図、図３（ｃ）は、格納箱１０を示す一側面図、図３（ｄ）は、格納箱１０を示す他側面図である。図３（ａ）、図３（ｂ）、図３（ｃ）及び図３（ｄ）に示すように、枠体１１は、前面及び背面が開口された枠状の部材である。枠体１１において、背面の奥側に自動弁装置５及びテスト用制水弁１が設けられ、前面の開口に前面プレート１２が取り付けられる。また、枠体１１の前面の上部には、前面プレート１２を取り付ける際に使用される引っ掛け金具１１ａが設けられている。
【００１５】
更に、枠体１１の前面の下部には、後述する前面プレート１２のボス１４がはめ込まれるはめ込み孔１１ｂが形成されている（図５（ｃ）参照）。枠体１１の側面には、消火栓装置７の接続部材７ａを取り付けるために使用される取付ボルト用長穴１１ｃが形成されている。更に、枠体１１の他側面には、消火栓装置７と自動弁装置５の一次側とを接続する配管（図示せず）が設置される切欠き１１ｄが形成されている。
【００１６】
図４は、本発明の実施の形態１における前面プレート１２を示す図である。図４（ａ）は、前面プレート１２を示す背面図、図４（ｂ）は、前面プレート１２を示す上面図、図４（ｃ）は、前面プレート１２を示す側面図である。前面プレート１２は、枠体１１の前面に取り付けられて、枠体１１の内部を覆うものであり、プレート本体１２ａと、取っ手１２ｂとを有している。プレート本体１２ａは、板状の部材の外周を折り曲げて強度を増したものである。プレート本体１２ａの上部には、枠体１１の引っ掛け金具１１ａに係合する係合部１３が設けられている。また、プレート本体１２ａの下部には、枠体１１の下部のはめ込み孔１１ｂに挿入されて枠体１１のはめ込み孔１１ｂにはめ込まれるボス１４が設けられている。
【００１７】
取っ手１２ｂは、プレート本体１２ａの前面に２個取り付けられており、取っ手１２ｂを用いることによって、前面プレート１２を枠体１１に着脱することができる。前面プレート１２は、通常時に、自動弁装置５及びテスト用制水弁１等が外部から操作されることを防止するため、枠体１１に取り付けられている。また、前面プレート１２は、自動弁装置５の動作試験時等に、自動弁装置５及びテスト用制水弁１等を操作するために、枠体１１から取り外される。
【００１８】
図５は、本発明の実施の形態１における前面プレート１２の取り付け図である。図５（ａ）は、前面プレート１２が枠体１１に取り付けられる動作を示す側面図、図５（ｂ）は、前面プレート１２の上部を拡大した拡大図、図５（ｃ）は、前面プレート１２の下部を拡大した拡大図である。図５（ａ）に示すように、枠体１１から取り外されている前面プレート１２は、先ず、前面プレート１２の上部が、枠体１１の上部に取り付けられる。その際、図５（ｂ）に示すように、係合部１３が引っ掛け金具１１ａに係合して、前面プレート１２の上部が枠体１１の上部に取り付けられる。次に、前面プレート１２の下部が、枠体１１の下部に取り付けられる。その際、図５（ｃ）に示すように、ボス１４がはめ込み孔１１ｂに挿入された状態で締結され、前面プレート１２の下部が枠体１１の下部に取り付けられる。これにより、図３のように、枠体１１に前面プレート１２が取り付けられる。
【００１９】
図６は、本発明の実施の形態１に係るテスト用制水弁１を示す図である。図６（ａ）は、テスト用制水弁１を示す正面図、図６（ｂ）は、テスト用制水弁１を示す上面図、図６（ｃ）は、テスト用制水弁１を示す側面図である。図６（ａ）、図６（ｂ）及び図６（ｃ）に示すように、テスト用制水弁１は、本体２１と、弁体２２と、ハンドル２３とを備えたバタフライ弁である。本体２１は、水が流れる配管にフランジで挟み込んで接続されるものであり、水が流れる開口２１ａが形成されている。
【００２０】
弁体２２は、本体２１に取り付けられ、自動弁装置５を試験する際に本体２１の開口２１ａを閉止し、通常時に本体２１の開口２１ａを開放するものである。弁体２２は、本体２１の開口２１ａを閉止する際に、本体２１の開口２１ａに対し水平に位置し、本体２１の開口２１ａを開放する際に、本体２１の開口２１ａに対し垂直に位置する。即ち、弁体２２は、本体２１の開口２１ａを開閉する際、９０°回転する。ハンドル２３は、弁体２２に取り付けられ、回転することによって、連動して回転する弁体２２に開口２１ａを開閉させるものである。なお、ハンドル２３は、複数回転されることによって、弁体２２を９０°回転させる。
【００２１】
図７（ａ）は、本発明の実施の形態１に係るテスト用制水弁１の動作を示す模式図である。図７（ａ）に示すように、テスト用制水弁１は、弁開放忘れ防止装置３０を備えている。弁開放忘れ防止装置３０は、格納箱１０に取り付けられ、ハンドル２３の回転に連動して動作するものであり、ワイヤ３１と、保持部３２と、動作部３３とを有している。ワイヤ３１は、基端部がハンドル２３に巻きつけられるものであり、例えばピアノ線といった張力を有する部材である。ワイヤ３１は、弁体２２が開口２１ａを開放する第１方向Ａにハンドル２３が回転されるときに、ハンドル２３に巻き取られるように、ハンドル２３に巻きつけられている。即ち、ハンドル２３が第１方向Ａに回転されるときに、ワイヤ３１は引っ張られる。一方、弁体２２が開口２１ａを閉止する第２方向Ｂにハンドル２３が回転されるとき（図８（ａ）参照）に、ハンドル２３に巻きつけられたワイヤ３１は弛む。
【００２２】
保持部３２は、格納箱１０に取り付けられ、ワイヤ３１を保持するものである。保持部３２は、Ｌ字状に曲げられた取付部３２ａと、取付部３２ａに取り付けられワイヤ３１をガイドするガイド部３２ｂとを有する。取付部３２ａは、例えば図２（ａ）、図２（ｃ）及び図５（ａ）に示すように、格納箱１０の枠体１１の内壁における前面近傍に溶接されたボルト３２ｄによって取り付けられている。ガイド部３２ｂは、ワイヤ３１が挿通される挿通孔３２ｃが形成された部材であり、取付部３２ａに例えば２個取り付けられている。ワイヤ３１は、ガイド部３２ｂの挿通孔３２ｃに挿通されることによって、ガイドされる。
【００２３】
動作部３３は、保持部３２に設けられると共にワイヤ３１の先端部に取り付けられるものである。具体的には、Ｌ字状を維持するように付勢されたばね丁番にＬ字状の部材を取り付けた動作部３３が、保持部３２の取付部３２ａの一端に設けられており、格納箱１０の前面側に突出するように付勢されている。このため、動作部３３は、ワイヤ３１が弛んでいるときに格納箱１０の外部に突出する。一方、動作部３３は、ワイヤ３１が張っているときにワイヤ３１によって格納箱１０の背面側に引っ張られるため、格納箱１０の内部に収納される。なお、ばね丁番の取り付けられたＬ字状の部材の形状はこれに限定されず、また、このＬ字状の部材がなくても、ばね丁番自身が格納箱１０の外部に突出する大きさのものを用いてもよい。
【００２４】
図７（ｂ）は、本発明の実施の形態１における弁開放忘れ防止装置３０の状態を示す模式図である。次に、テスト用制水弁１の動作について説明する。図７（ａ）に示すように、動作部３３は、ハンドル２３が第１方向Ａ（弁体２２が開口２１ａを開放する回転方向）に回転されることによってワイヤ３１が巻き取られるときにワイヤ３１に引っ張られて格納箱１０の内部に収納される。即ち、図７（ｂ）に示すように、枠体１１における前面プレート１２が取り付けられる位置に、動作部３３が飛び出していない。このように、前面プレート１２が枠体１１に取り付けられる際の障害がないため、使用者は、格納箱１０の枠体１１に前面プレート１２を取り付けることができる。
【００２５】
図８（ａ）は、本発明の実施の形態１に係るテスト用制水弁１の動作を示す模式図、図８（ｂ）は、本発明の実施の形態１における弁開放忘れ防止装置３０の状態を示す模式図である。図８（ａ）に示すように、動作部３３は、ハンドル２３が第２方向Ｂ（弁体２２が開口２１ａを閉止する回転方向）に回転されることによってワイヤ３１が弛められるときに自身の復元力によって格納箱１０の外部に突出する。即ち、図８（ｂ）に示すように、枠体１１における前面プレート１２が取り付けられる位置に、動作部３３が飛び出している。このように、前面プレート１２が枠体１１に取り付けられる際に障害があるため、使用者は、格納箱１０の枠体１１に前面プレート１２を取り付けることができない。
【００２６】
本実施の形態１によれば、動作試験時に、テスト用制水弁１の弁体２２が本体２１の開口２１ａを閉止しているとき、弁開放忘れ防止装置３０が格納箱１０の外部に突出するため、動作試験後に、テスト用制水弁１を開放しないと、使用者は格納箱１０の枠体１１に前面プレート１２を取り付けることができない。これにより、使用者は、前面プレート１２を取り付けようとする際に、テスト用制水弁１が閉止していることに気付く。このため、動作試験後に、テスト用制水弁１を開放し忘れることを防止することができる。
【００２７】
実施の形態２．
図９（ａ）は、本発明の実施の形態２に係るテスト用制水弁１００の動作を示す模式図である。図９（ａ）に示すように、本実施の形態２は、弁開放忘れ防止装置１３０が実施の形態１と相違する。本実施の形態２では、実施の形態１と共通する部分は同一の符号を付して説明を省略し、実施の形態１との相違点を中心に説明する。
【００２８】
図９（ｂ）は、本発明の実施の形態２に係るテスト用制水弁１００の動作を示す模式図であり、図９（ａ）を矢印Ｃ側からみた図である。図９（ａ）に示すように、弁開放忘れ防止装置１３０は、第１のプーリー１３１と、ケーブル１３２と、第２のプーリー１３３と、アーム１３４とを有している。図９（ｂ）に示すように、第１のプーリー１３１は、弁体２２の軸に取り付けられ、弁体２２の回転に連動して回転するものである。ここで、弁体２２は、９０°回転するものであるため、第１のプーリー１３１も、弁体２２の回転に伴って９０°回転する。ケーブル１３２は、第１のプーリー１３１に巻きつけられるものであり、例えばパワーケーブルである。
【００２９】
第２のプーリー１３３は、格納箱１０の枠体１１の内壁における前面近傍に回動可能に取り付けられている。第２のプーリー１３３は、ケーブル１３２が巻きつけられ、第１のプーリー１３１の回転動作がケーブル１３２によって伝達されて回転するものである。ここで、第１のプーリー１３１は、９０°回転するものであり、第２のプーリー１３３も、第１のプーリー１３１の回転に伴って９０°回転する。アーム１３４は、第２のプーリー１３３に取り付けられるＬ字状の棒部材である。ここで、第２のプーリー１３３は、９０°回転するものであるため、アーム１３４も、第２のプーリー１３３の回転に伴って９０°回転する。
【００３０】
次に、テスト用制水弁１００の動作について説明する。図９（ａ）に示すように、アーム１３４は、ハンドル２３が第１方向Ａ（弁体２２が開口２１ａを開放する回転方向、図９（ａ）の破線矢印）に回転されることによって第１のプーリー１３１及び第２のプーリー１３３が回転して格納箱１０の内部に収納される（図９（ａ）の実線のアーム１３４）。このとき、前面プレート１２が枠体１１に取り付けられる際の障害がないため、使用者は、格納箱１０の枠体１１に前面プレート１２を取り付けることができる。
【００３１】
図９（ａ）に示すように、アーム１３４は、ハンドル２３が第２方向Ｂ（弁体２２が開口２１ａを閉止する回転方向、図９（ａ）の実線矢印）に回転されることによって第１のプーリー１３１及び第２のプーリー１３３が回転して格納箱１０の外部に突出する。このように、前面プレート１２が枠体１１に取り付けられる際にアーム１３４が障害となるため、使用者は、格納箱１０の枠体１１に前面プレート１２を取り付けることができない。
【００３２】
本実施の形態２によれば、動作試験時に、弁体２２が本体２１の開口２１ａを閉止しているとき、アーム１３４が格納箱１０の外部に突出するため、動作試験後に、テスト用制水弁１を開放しないと、使用者は格納箱１０の枠体１１に前面プレート１２を取り付けることができない。このため、実施の形態１と同様に、動作試験後に、テスト用制水弁１００を開放し忘れることを防止することができる。なお、アーム１３４はＬ字状に限定されず、例えばＩ字状であってもよい。
【符号の説明】
【００３３】
１  テスト用制水弁、２  水噴霧設備、３  ポンプ、４  一次側弁、５  自動弁装置、６  水噴霧ヘッド、７  消火栓装置、１０  格納箱、１１  枠体、１１ａ  引っ掛け金具、１１ｂ  はめ込み孔、１１ｃ  取付ボルト用長穴、１１ｄ  切欠き、１２  前面プレート、１２ａ  プレート本体、１２ｂ  取っ手、１３  係合部、１４  ボス、２１  本体、２１ａ  開口、２２  弁体、２３  ハンドル、３０  弁開放忘れ防止装置、３１  ワイヤ、３２  保持部、３２ａ  取付部、３２ｂ  ガイド部、３２ｃ  挿通孔、３２ｄ  ボルト、３３  動作部、１００  テスト用制水弁、１３０  弁開放忘れ防止装置、１３１  第１のプーリー、１３２  ケーブル、１３３  第２のプーリー、１３４  アーム、Ａ  第１方向、Ｂ  第２方向。
【図１】
2018000457.tif 000003
【図２】
2018000457.tif 000004
【図３】
2018000457.tif 000005
【図４】
2018000457.tif 000006
【図５】
2018000457.tif 000007
【図６】
2018000457.tif 000008
【図７】
2018000457.tif 000009
【図８】
2018000457.tif 000010
【図９】
2018000457.tif 000011